(57)【要約】【課題】ＬＡＮスイッチ及びＬＡＮスイッチ内又はＬＡＮスイッチ間の試験を行う試験方法に関し、ネットワーク運用中でも試験を可能とする。【解決手段】複数のポート５−１〜５−ｎと、学習テーブル２と、この学習テーブル２を参照してフレームを振り分けるフレーム振り分け部３とを含むＬＡＮスイッチ１及びこのＬＡＮスイッチ１を試験する試験方法であって、ポート５−１〜５−ｎに、試験フレームを形成して送出する試験フレーム挿入部ｂ，ｄと、試験フレームを抽出する試験フレーム抽出部ａ，ｃとを設け、試験時に、学習テーブル２に試験フレームを示す送信元アドレスとポート番号とを関係付けて登録し、且つ試験フレームについての学習禁止を設定し、又指定したポートの試験フレーム挿入部ｂ，ｄと試験フレーム抽出部ａ，ｃとの何れか一方又は両方を制御して試験を行う試験フレーム管理部４を設ける。【選択図】　　　図１
2004064489.tif 000002
【特許請求の範囲】
【請求項１】
複数のポートと、学習テーブルと、該学習テーブルを参照してフレームを振り分けるフレーム振り分け部とを含む構成のＬＡＮスイッチに於いて、
前記ポートに、試験フレームを形成して送出する機能の試験フレーム挿入部と、試験フレームを抽出して計測する機能の試験フレーム抽出部とを設け、
試験時に前記学習テーブルに試験フレームを示す送信元アドレスとポート番号とを関係付けて登録し、且つ指定したポートの前記試験フレーム挿入部と前記試験フレーム抽出部との何れか一方又は両方を制御して試験を行う試験フレーム管理部を設けた
ことを特徴とするＬＡＮスイッチ。
【請求項２】
前記試験フレーム抽出部は、試験フレームを抽出して試験フレーム数、試験フレームレート、試験フレーム廃棄数の少なくとも何れか一つを計測する機能を有し、前記試験フレーム挿入部は、前記学習テーブルに試験時に登録した送信元アドレスを宛先アドレスとし、且つシーケンス番号を含む試験フレームを形成して送出する機能を有することを特徴とする請求項１記載のＬＡＮスイッチ。
【請求項３】
学習テーブルと、フレーム振り分け部と、試験フレーム管理部と、試験フレーム抽出部と試験フレーム挿入部とを含む複数のポートとを有するＬＡＮスイッチ又は該ＬＡＮスイッチ間を試験する試験方法に於いて、
前記学習テーブルに試験フレームを示す送信元アドレスとポート番号とを関係付けて登録し、且つ試験フレームについての学習禁止を設定し、指定したポートの前記試験フレーム挿入部から前記学習テーブルに登録した送信元アドレスを宛先アドレスとした試験フレームを形成して送出し、前記フレーム振り分け部は、前記学習テーブルに登録されたポート番号のポートに前記試験フレームを振り分け、指定したポートの前記試験フレーム抽出部から前記試験フレームを抽出して、前記指定したポート間の試験を行う過程を含む
ことを特徴とする試験方法。
【請求項４】
学習テーブルと、フレーム振り分け部と、試験フレーム管理部と、試験フレーム抽出部と試験フレーム挿入部とを含む複数のポートとを有するＬＡＮスイッチ又は該ＬＡＮスイッチ間を試験する試験方法に於いて、
ＬＡＮスイッチ間を伝送路で接続した一方のＬＡＮスイッチの学習テーブルに、試験フレームを示す送信元アドレスとポート番号とを関係付けて登録し、且つ試験フレームについての学習禁止を設定し、前記ポート番号のポートと接続された他方のＬＡＮスイッチのポートの出側試験フレーム挿入部から前記学習テーブルに登録された送信元アドレスを宛先アドレスとした試験フレームを送出し、前記一方のＬＡＮスイッチの振り分け部に於いて前記学習テーブルを参照して前記他方のＬＡＮスイッチに折り返して送出し、前記他方のＬＡＮスイッチの前記ポートの入側試験フレーム抽出部に於いて前記試験フレームを抽出して、折り返し試験を行う過程を含む
ことを特徴とする試験方法。
【請求項５】
学習テーブルと、フレーム振り分け部と、試験フレーム管理部と、試験フレーム抽出部と試験フレーム挿入部とを含む複数のポートとを有するＬＡＮスイッチ又は該ＬＡＮスイッチ間を試験する試験方法に於いて、
第１のＬＡＮスイッチと第２のＬＡＮスイッチとの間に単一又は複数の中継経路ＬＡＮスイッチを含み、該中継経路ＬＡＮスイッチの学習テーブルに、試験フレームを示す送信元アドレスと該試験フレームを中継送出するポートのポート番号とを関係付けて登録し、且つ試験フレームについての学習禁止を設定し、前記第１のＬＡＮスイッチのポートの出側試験フレーム挿入部から前記中継回路ＬＡＮスイッチの学習テーブルに登録した送信元アドレスを宛先アドレスとした試験フレームを送出し、前記中継経路ＬＡＮスイッチの振り分け部は、前記学習テーブルを参照して試験フレームを中継送出し、前記第２のＬＡＮスイッチの前記試験フレームの到着ポートの入側試験フレーム抽出部に於いて前記試験フレームを抽出し、中継経路ＬＡＮスイッチを介した前記第１，第２のＬＡＮスイッチ間の試験を行う過程を含む
ことを特徴とする試験方法。
【発明の詳細な説明】
【０００１】
【発明の属する技術分野】
本発明は、端末装置やＬＡＮ（Ｌｏｃａｌ　Ａｒｅａ　Ｎｅｔｗｏｒｋ；ローカル・エリア・ネットワーク）等と接続する複数のポートを有するＬＡＮスイッチ及び試験方法に関する。
【０００２】
【従来の技術】
画像，音声等を含む各種のデータを伝送するインターネット等を含む各種のネットワークが実用化されている。図７はネットワークの一例の要部を示すもので、７１はユーザ網、７２はアクセス網、７３はコア網を示す。又ユーザ網７１は、ＬＡＮ７４や端末装置等を含み、又アクセス網７２は、回線終端装置（ＤＳＵ；Ｄｉｇｉｔａｌ　Ｓｅｒｖｉｃｅ　Ｕｎｉｔ）や光アクセス装置（ＯＮＵ；Ｏｐｔｉｃａｌ　Ｎｅｔｗｏｒｋ　Ｔｅｒｍｉｎａｌ）７５等を含むものである。又コア網７３は、複数のコアスイッチ７７間を接続した構成を有し、コア網７３とアクセス網７２との間を加入者終端装置７６により接続した構成を示す。
【０００３】
広帯域且つ高信頼性を要求されるコア網７３は、従来、ＳＤＨ（Ｓｙｎｃｈｒｏｎｏｕｓ　Ｄｉｇｉｔａｌ　Ｈｉｅｒａｃｈｙ）やＡＴＭ（Ａｓｙｎｃｈｒｏｎｏｕｓ　Ｔｒａｎｓｆｅｒ　Ｍｏｄｅ）等の伝送技術を適用する場合が一般的であった。しかし、最近のＬＡＮの急速な普及によって、多数のエンドユーザは、通常、イーサネット（登録商標）と称されるＩＥＥＥ８０２．３による標準化されたＬＡＮ７４によってユーザ網７１を構築する場合が多く、それに伴って、アクセス網７２及びコア網７３についても、このＩＥＥＥ８０２．３を適用して構築するようになった。
【０００４】
このようなＬＡＮに適用するフレームは、例えば、図８に示すフォーマットが知られている。同図の（ａ）はＥｔｈｅｒｎｅｔ　ＩＩ（ＤＩＸ）、（ｂ）はＩＥＥＥ８０２．３（ＲＡＷ）、（ｃ）はＩＥＥＥ８０２．３（ＬＬＣ；Ｌｏｇｉｃａｌ　Ｌｉｎｋ　Ｃｏｎｔｒｏｌ）、（ｄ）はＩＥＥＥ８０２．３（ＬＬＣ＋ＳＮＡＰ；Ｌｏｇｉｃａｌ　Ｌｉｎｋ　Ｃｏｎｔｒｏｌ，Ｓｕｂ−ＮｅｔｗｏｒｋＡｃｃｅｓｓ　Ｐｒｏｔｏｃｏｌ）で規定されたフォーマットを示し、又ＩＥＥＥ８０２．１Ｑで規定されているＶＬＡＮ（Ｖｉｒｔｕａｌ　Ｌｏｃａｌ　Ｎｅｔｗｏｒｋ；仮想ＬＡＮ）に適用する場合のＬＡＮタグを付加することが可能である。
【０００５】
又図８に於いて、ＰＡはプリアンブル、ＤＡは宛先アドレス、ＳＡは送信元アドレス、Ｔｙｐｅはフレームのタイプ、Ｄａｔｅはデータ部、ＦＣＳはフレームチェックシーケンス、ＴＰＩＤはタグプロトコル識別子、ＴＣＩはタグ制御情報、ＳＦＤはフレーム開始デリミタ、Ｌｅｎｇｔｈはデータ部の長さ情報、ＤＳＡＰは宛先上位層プロトコル識別子、ＳＳＡＰは送信元上位層プロトコル識別子、Ｃｔｒｌは制御部、ＯＵＩは管理組織識別子、ＰＩＤはプロトコル識別子を示し、それぞれの括弧内はバイト数を示す。
【０００６】
又図８の（ｃ）及び（ｄ）のＬＬＣ（Ｌｏｇｉｃａｌ　Ｌｉｎｋ　Ｃｏｎｔｒｏｌ；論理リンク制御）ヘッダは、宛先上位層プロトコル識別子ＤＳＡＰと送信元上位層プロトコル識別子ＳＳＡＰと制御部Ｃｔｒｌとからなる３バイト構成のヘッダを示し、図８の（ｄ）のＳＮＡＰ（Ｓｕｂｎｅｔｗｏｒｋ　ＡｃｃｅｓｓＰｒｏｔｏｃｏｌ）ヘッダは、管理組織識別子ＯＵＩとプロトコル識別子ＰＩＤとからなる５バイト構成のヘッダを示す。又前述の図８の（ａ）〜（ｄ）に示すフレームを総称して、ＭＡＣ（Ｍｅｄｉａ　Ａｃｃｅｓｓ　Ｃｏｎｔｒｏｌ）フレームとする場合が一般的である。
【０００７】
このようなＭＡＣフレームを転送する為のＬＡＮスイッチは、複数のポートと学習テーブルとを備え、この学習テーブルに、送信元アドレスと、この送信元アドレスを付加したＭＡＣフレームの到着ポートとを関連付けて登録する。従って、受信ＭＡＣフレームの宛先アドレスが、登録された送信元アドレスと一致すれば、登録されたポートを転送先ポートとして、ＭＡＣフレームを転送することができる。なお、学習テーブルに送信元アドレスとポートとの対応付けが登録されていないＭＡＣフレームを受信した場合、未学習フレームとして処理する。即ち、学習テーブルに、送信元アドレスと到着ポートとを関連付けて新規登録し、受信ＭＡＣフレームをコピーして全ポートに送信するフラッディング（Ｆｌｏｏｄｉｎｇ）を行う。このような学習を繰り返すことにより、学習テーブルに、送信元アドレスとポートとの関係付けが登録されるから、宛先アドレスが登録された送信元アドレスと一致したポートに転送することになる。
【０００８】
【発明が解決しようとする課題】
通信ネットワークに於けるＬＡＮスイッチは、ＳＤＨノードやＡＴＭノードに比較して低価格である利点がある。しかし、ネットワークの信頼性を確保する為に、運用中にＬＡＮスイッチの正常性等を試験することが望ましいが、その為の試験手段は何ら提案されていない。若し、運用中のネットワークのＬＡＮスイッチを含むネットワークの正常性等の試験を行う場合は、ＬＡＮスイッチを伝送路から切り離して、測定器等を接続することにより試験を行うことになる。従って、サービスを全く中断する必要がある問題がある。又このサービスを中断しないようにする為には、ＬＡＮスイッチを二重化構成とし、一方を運用系、他方を予備系として、この予備系に対して試験を行うことが考えられるが、ＬＡＮスイッチを二重化構成とすることによるコストアップが問題となる。
【０００９】
本発明は、ネットワークの運用中に於いても、ＬＡＮスイッチの正常性，ＬＡＮスイッチ間の導通試験，帯域測定試験，遅延時間測定試験等を実現することを目的とする。
【００１０】
【課題を解決するための手段】
本発明のＬＡＮスイッチは、図１を参照して説明すると、複数のポート５−１〜５−ｎと、学習テーブル２と、この学習テーブル２を参照してフレームを振り分けるフレーム振り分け部３とを含む構成のＬＡＮスイッチ１であって、ポート５−１〜５−ｎに、試験フレームを形成して送出する機能の試験フレーム挿入部ｂ，ｄと、試験フレームを抽出して計測する機能の試験フレーム抽出部ａ，ｃとを設け、試験時に、学習テーブル２に試験フレームを示す送信元アドレスとポート番号とを関係付けて登録し、且つ指定したポートの試験フレーム挿入部ｂ，ｄと試験フレーム抽出部ａ，ｃとの何れか一方又は両方を制御して試験を行う試験フレーム管理部４を設けた構成とする。
【００１１】
又試験フレーム抽出部ａ，ｃは、試験フレームを抽出して試験フレーム数、試験フレームレート、試験フレーム廃棄数の少なくとも何れか一つを計測する機能を有し、試験フレーム挿入部ｂ，ｄは、学習テーブル２に試験時に登録した送信元アドレスを宛先アドレスとし、且つシーケンス番号を含む試験フレームを形成して送出する機能を有するものである。
【００１２】
又本発明の試験方法は、学習テーブル２と、フレーム振り分け部３と、試験フレーム管理部４と、試験フレーム抽出部ａ，ｃと試験フレーム挿入部ｂ，ｄとを含む複数のポート５−１〜５−ｎとを有するＬＡＮスイッチ１又はＬＡＮスイッチ間を試験する試験方法であって、学習テーブル２に試験フレームを示す送信元アドレスとポート番号とを関係付けて登録し、且つ試験フレームについての学習禁止を設定し、指定したポートの試験フレーム挿入部から学習テーブル２に登録した送信元アドレスを宛先アドレスとした試験フレームを形成して送出し、フレーム振り分け部３は、学習テーブル２に登録されたポート番号のポートに試験フレームを振り分け、指定したポートの試験フレーム抽出部から試験フレームを抽出して、指定したポート間の試験を行う過程を含むものである。
【００１３】
又ＬＡＮスイッチ間を伝送路で接続した一方のＬＡＮスイッチの学習テーブルに、試験フレームを示す送信元アドレスとポート番号とを関係付けて登録し、且つ試験フレームについての学習禁止を設定し、登録されたポート番号のポートと接続された他方のＬＡＮスイッチのポートの出側試験フレーム挿入部から、学習テーブルに登録された送信元アドレスを宛先アドレスとした試験フレームを送出し、一方のＬＡＮスイッチの振り分け部に於いて学習テーブルを参照して、他方のＬＡＮスイッチに折り返して送出し、他方のＬＡＮスイッチのポートの入側試験フレーム抽出部に於いて試験フレームを抽出して、折り返し試験を行う過程を含むものである。
【００１４】
又第１のＬＡＮスイッチと第２のＬＡＮスイッチとの間に単一又は複数の中継経路ＬＡＮスイッチを含み、この中継経路ＬＡＮスイッチの学習テーブルに、試験フレームを示す送信元アドレスと、試験フレームを中継送出するポートのポート番号とを関係付けて登録し、且つ試験フレームについての学習禁止を設定し、第１のＬＡＮスイッチのポートの出側試験フレーム挿入部から、中継経路ＬＡＮスイッチの学習テーブルに登録された送信元アドレスを宛先アドレスとした試験フレームを送出し、中継経路ＬＡＮスイッチの振り分け部は、学習テーブルを参照して試験フレームを中継送出し、第２のＬＡＮスイッチの試験フレームの到着ポートの入側試験フレーム抽出部に於いて試験フレームを抽出し、中継経路ＬＡＮスイッチを介した第１，第２のＬＡＮスイッチ間の試験を行う過程を含むものである。
【００１５】
【発明の実施の形態】
図１は本発明の実施の形態の説明図であり、１はＬＡＮスイッチ、２は学習テーブル、３はフレーム振り分け部、４は試験フレーム管理部、５−１〜５−ｎはポートを示す。又ポート５−１〜５−ｎのａは入側試験フレーム抽出部、ｂは入側試験フレーム挿入部、ｃは出側試験フレーム抽出部、ｄは出側試験フレーム挿入部を示す。各ポート５−１〜５−ｎは伝送路を介して図示を省略した他のＬＡＮスイッチと接続されている。
【００１６】
ＬＡＮスイッチ１は、複数のポート５−１〜５−ｎと学習テーブル２とフレーム振り分け部３とを備えた構成が一般的である。各ポート５−１〜５−ｎは、入出力インタフェースの機能を有し、それぞれポート番号が付与されている。又フレーム振り分け部３は、学習テーブル２を参照して、到着ポートから転送先ポートへＭＡＣフレームを振り分けるものである。本発明に於いては、各ポート５−１〜５−ｎに、入側試験フレーム抽出部ａと、入側試験フレーム挿入部ｂと、出側試験フレーム抽出部ｃと、出側試験フレーム挿入部ｃとを設け、且つ試験フレーム管理部４を設ける。なお、入側と出側とを区別する必要がない場合は、試験フレーム抽出部と試験フレーム挿入部として説明する。試験フレーム抽出部は、試験フレームを宛先アドレスやフレームタイプ等により識別して抽出する機能を有し、試験フレーム挿入部は、試験フレームを示す宛先アドレスやシーケンス番号等を含む試験フレームを形成して送出する機能を有するものである。
【００１７】
試験フレーム管理部４は、図示を省略した装置管理システム（オペレーション・システム）との間で、図示を省略した他のネットワークを介して各種情報の転送を行うか、又はＬＡＮスイッチ１を含むネットワークを介して制御フレーム等によって転送する構成とすることができる。又試験フレーム管理部４は、装置管理システムからの試験実行の指示に従って、学習テーブル２に試験フレームの送信元アドレスとポートとの関係付けを登録し、指定されたポートに於ける試験フレームの抽出部や挿入部に対して試験フレームの挿入設定又は抽出設定を行い、又試験開始指示や試験手停止指示を行う機能を備えている。
【００１８】
ポート５−１〜５−ｎの入側試験フレーム抽出部ａと出側試験フレーム抽出部ｃとは、試験フレーム管理部４からの抽出設定に従って、ＭＡＣフレームとしてのユーザフレームの間に挿入されて転送された試験フレームを、例えば、宛先アドレスによって抽出し、試験フレーム数の計数、試験フレームによる伝送レート、伝送遅延時間等の計測機能を備えている。又入側試験フレーム挿入部ｂと出側試験フレーム挿入部ｄとは、試験フレーム管理部４からの挿入設定に従って、ユーザフレームの間に、試験フレームであることを識別できる宛先アドレスを付加した試験フレームを送出する機能を備えている。なお、試験フレームは、フレームタイプにより識別できるようにことも可能である。
【００１９】
図２は試験フレームの説明図であり、同図の（ａ），（ｂ）は、図８の（ｂ）に示すフォーマットに従った場合を示し、同一符号は同一内容を示す。この図２の（ａ）の試験フレームは、データ部Ｄａｔａの位置に、４バイト構成のシーケンス番号と、オール“０”としたパディング（Ｐａｄｄｉｇ）とを挿入する。なお、ＶＬＡＮに対しては、ＶＬＡＮタグを付加する。又図２の（ｂ）は、データ部の位置に、４バイト構成のシーケンス番号と、４バイト構成のタイムスタンプとオール“０”のパディング（Ｐａｄｄｉｎｇ）とを挿入した試験フレームを示す。なお、図８の（ａ），（ｃ），（ｄ）に示すフォーマットに従った試験フレームを用いることも可能である。
【００２０】
従って、図１に於ける入側試験フレーム挿入部ａと出側試験フレーム挿入部ｄとは、図２の（ａ）又は（ｂ）に示すフレームフォーマットを形成し、宛先アドレスを例えば＃ＴＥＳＴとし、送信元アドレスを例えば自ポート番号とし、シーケンス番号を試験フレームの送出毎にインクリメントする機能を設けるもので、このような機能は、メモリや制御論理回路等により容易に実現することができる。なお、この試験フレームの送信元アドレスについては、試験時に、学習テーブル２に、試験フレームの送信元アドレスを登録し、試験フレームについての学習禁止を設定するから、試験フレームは指定されたポートに対して最初から振り分けることになる。
【００２１】
図３はＬＡＮスイッチ１内のポート間の導通試験，品質試験を行う場合を示すもので、学習テーブル２と、フレーム振り分け部３と、試験フレーム管理部４と、ポート番号＃ＰＡ〜＃ＰＮのポートと、各ポートの入側試験フレーム抽出部ａと、入側試験フレーム挿入部ｂと、出側試験フレーム抽出部ｃと、出側試験フレーム挿入部ｃとを示す。
【００２２】
学習テーブル２に、送信元アドレス＃Ａとポート番号＃ＰＮとが関連付けて格納され、又送信元アドレス＃Ｂとポート番号＃ＰＫとが関連付けて格納されている場合に、ポート番号＃ＰＡのポートと、ポート番号＃ＰＪのポートとの間を試験する為に、装置監視システムから試験フレーム管理部４を介して、学習テーブル２に、送信元アドレスとして例えば＃ＴＥＳＴとポート番号＃ＰＪとを関連付けて登録し、試験フレームについての学習禁止を設定する。
【００２３】
又ポート番号＃ＰＡのポートの入側試験フレーム挿入部ｂに、宛先アドレスを＃ＴＥＳＴとした試験フレームの挿入設定を行い、ポート番号＃ＰＪの出側試験フレーム抽出部ｃに、試験フレームの抽出設定を行う。他のポートの試験フレーム抽出部ａ，ｃと試験フレーム挿入部ｂ，ｄとは不動作状態に設定する。この場合、ポート番号＃ＰＡのポートが試験フレーム挿入ポート、ポート番号＃ＰＪのポートが試験フレーム終端ポートとなる。
【００２４】
試験フレーム管理部４からの試験開始の指示により、ポート番号＃ＰＡの入側試験フレーム挿入部ｂから、図２の（ａ）又は（ｂ）に示す試験フレームを形成してフレーム振り分け部３に送出する。この場合の試験フレームの宛先アドレスＤＡ＝＃ＴＥＳＴとし、試験フレームを繰り返し送出する時のシーケンス番号を付加し、ユーザフレームの間に挿入して送出する。
【００２５】
フレーム振り分け部３は、学習テーブル２を検索し、送信元アドレス＃ＴＥＳＴが登録され、且つ試験フレームについての学習禁止が設定されるから、フラッディングを行うことなく、試験フレームを、登録された送信元アドレス＃ＴＥＳＴに対応するポート番号＃ＰＪのポートに振り分け送出する。従って、試験フレームの経路は太線矢印で示すものとなり、この場合の試験フレームについては、コピーして到着ポート以外の他のポートに送出する制御を行わないので、ユーザフレームのトラヒックを圧迫することはない。
【００２６】
ポート番号＃ＰＪのポートの出側試験フレーム抽出部ｃは、試験フレームの抽出設定に従って、宛先アドレス＃ＴＥＳＴの試験フレームのみを抽出し、その試験フレーム数又は１秒間等の単位時間当たりの試験フレーム数による転送レートを計測する。又シーケンス番号を基に廃棄フレーム数を計測する。例えば、シーケンス番号１００の試験フレームの次に抽出した試験フレームのシーケンス番号が１０３であるとすると、廃棄数２とし１秒間等の単位時間当たりの廃棄レートを計測する。
【００２７】
試験フレーム管理部４は、これらの情報を収集して、ポート番号＃ＰＡ，＃ＰＪ間の導通試験結果及び品質試験結果を求め、例えば、上位装置としての装置管理システムに転送することができる。このような試験が終了すると、装置管理システムからの指示に従って、試験フレーム管理部４は、学習テーブル２に登録した試験フレームの送信元アドレス＃ＴＥＳＴと、その送信元対応のポート番号＃ＰＪとを削除し、ポート番号＃ＰＡの入側試験フレーム挿入部ｂに於ける試験フレームの挿入処理を停止させ、又ポート番号＃ＰＪの出側試験フレーム抽出部ｃに於ける抽出処理を停止させる。この試験終了後に、出側試験フレーム抽出部ｃに於いて計測した結果を、試験フレーム管理部４から装置管理システムに転送することもできる。
【００２８】
なお、前述のポート番号＃ＰＡとポート番号＃ＰＪとのポート間の試験が終了した場合、学習テーブル２の試験フレームの送信元アドレス＃ＴＥＳＴに対応するポート番号を例えば＃ＰＫに変更し、ポート番号＃ＰＫの出側試験フレーム抽出部ｃに試験フレームの抽出設定を行うことにより、ポート番号＃ＰＡとポート番号＃ＰＫとのポート間の試験を行うことができる。即ち、試験フレーム挿入ポートに対して試験フレーム終端ポートを順次変更することにより、試験フレーム挿入ポートと他のボートとの間の試験を行うことができるもので、その試験フレーム挿入ポートも順次変更することにより、各ポート間の導通試験，廃棄レート等による品質試験を行うことができる。前述の試験過程に於いて、通常のユーザフレームの振り分け処理を継続し、且つ最初の試験フレームについてもフラッディングを行うことがないので、ユーザフレームのトラヒックを圧迫することはない。
【００２９】
図４は対向したＬＡＮスイッチ間に於いて、試験フレームの折り返しによる試験方法の説明図であり、１−１，１−２はＬＡＮスイッチ、２は学習テーブル、３はフレーム振り分け部を示し、＃ＰＡ〜＃ＰＮはポート番号を示す。ＬＡＮスイッチ１−１のポート番号＃ＰＡのポートと、ＬＡＮスイッチ１−２のポート番号＃ＰＫのポートとが伝送路を介して接続され、ＬＡＮスイッチ１−１，１−２間で折り返し試験を行う場合、ＬＡＮスイッチ１−１に於いては、図示を省略した試験フレーム管理部から、ポート番号＃ＰＡの出側試験フレーム挿入部ｄに試験フレームの挿入設定を行い、入側試験フレーム抽出部ａに試験フレームの抽出設定を行う。又ＬＡＮスイッチ１−２に於いては、図示を省略した試験フレーム管理部から、学習テーブル２に、送信元アドレス＃ＴＥＳＴとポート番号＃ＰＫとを登録し、試験フレームの送信元アドレスと宛先アドレスとについての学習禁止を設定する。なお、ＬＡＮスイッチ１−１のポート番号＃ＰＡのポートの入側試験フレーム抽出部ａと出側試験フレーム挿入部ｄ以外は、他のポートに於ける試験フレーム抽出部ａ，ｃと試験フレーム挿入部ｂ，ｄとは、不動作状態に設定する。
【００３０】
試験開始の指示により、ＬＡＮスイッチ１−１のポート番号＃ＰＡの出側試験フレーム挿入部ｄから、例えば、図２の（ａ）に示すように、宛先アドレスＤＡ＝＃ＴＥＳＴとし、送信元アドレスＳＡ＝＃ＰＡとし、シーケンス番号を設定した試験フレームを伝送路に送出する。ＬＡＮスイッチ１−２のポート番号＃ＰＫのポートは、到着した試験フレームをユーザフレームと同様にフレーム振り分け部３に転送する。フレーム振り分け部３は、学習テーブル２を参照し、試験フレームの宛先アドレスＤＡ＝＃ＴＥＳＴは、送信元アドレス＃ＴＥＳＴとして登録され、そのポート番号は＃ＰＫであるから、試験フレームをポート番号＃ＰＫのポートに転送する。このポートは、試験フレームの挿入部や抽出部に対する設定が行われていないので、試験フレームをそのまま伝送路に送出する。即ち、試験フレームを折り返して伝送路に送出することになる。
【００３１】
ＬＡＮスイッチ１−１のポート番号＃ＰＡの入側試験フレーム抽出部ａは、伝送路を介して到着した試験フレームを、前述のように、宛先アドレス＃ＴＥＳＴ等によって抽出する。従って、試験フレームの転送経路は、太線矢印で示すものとなる。そして、入側試験フレーム抽出部ａに於いては、図３に於ける試験内容と同様な計測を行い、フレームレートや廃棄レート等を求めることができる。同様に、ＬＡＮスイッチ１−１の他のボートに伝送路を介して接続されたＬＡＮスイッチに対しても折り返し試験を行うことができる。又所定の試験処理が終了すると、試験フレーム管理部４から各部に試験停止指示を送出する。従って、運用中のネットワークを構成する各ＬＡＮスイッチ間で、ユーザフレームに影響を及ぼすことなく、導通試験や品質試験を行うことができる。
【００３２】
図５は、中継経路を介したＬＡＮスイッチ間の導通試験や遅延測定試験を行う場合の説明図であり、１−１〜１−３はＬＡＮスイッチを示し、他の図１と同一符号は同一部分を示す。なお、試験フレーム管理部４は図示を省略し、又ＬＡＮスイッチ１−１，１−３に於いては学習テーブル２も省略している。この場合、ＬＡＮスイッチ１−１を第１のＬＡＮスイッチ、ＬＡＮスイッチ１−２を第２のＬＡＮスイッチ、ＬＡＮスイッチ１−３を中継経路ＬＡＮスイッチとし、この中継経路ＬＡＮスイッチは、単一の場合を示すが、第１のＬＡＮスイッチと第２のＬＡＮスイッチとの間に複数の中継経路ＬＡＮスイッチを伝送路を介して接続したネットワークに対しても適用可能である。
【００３３】
この図５に於いては、ＬＡＮスイッチ１−１のポート番号＃ＰＡのポートと、ＬＡＮスイッチ１−２のポート番号＃ＰＪのポートとが伝送路を介して接続され、ＬＡＮスイッチ１−２のポート番号＃ＰＮのポートと、ＬＡＮスイッチ１−３のポート番号＃ＰＡのポートとが伝送路を介して接続されたネットワークを示し、ＬＡＮスイッチ１−１からＬＡＮスイッチ１−２を中継してＬＡＮスイッチ１−３に試験フレームを転送して試験を行う場合に、装置管理システムからの指示に従って、図示を省略した試験フレーム管理部から、ＬＡＮスイッチ１−１のポート番号＃ＰＡのポートの出側試験フレーム挿入部ｄに試験フレームの挿入設定を行い、ＬＡＮスイッチ１−３のポート番号＃ＰＡのポートの入側試験フレーム抽出部ａに試験フレームの抽出設定を行い、中継経路ＬＡＮスイッチ１−２の学習テーブル２に、試験フレームの送信元アドレス＃ＴＥＳＴと、試験フレームを中継送出するポートのポート番号＃ＰＮとを登録し、試験フレームについての学習禁止を設定する。
【００３４】
そして、装置管理システムから試験経路のＬＡＮスイッチの試験フレーム管理部に対して試験開始指示又は試験停止指示を送出するものであり、試験開始指示に従って、ＬＡＮスイッチ１−１のポート番号＃ＰＡのポートの出側試験フレーム挿入部ｄから宛先アドレスＤＡ＝＃ＴＥＳＴとした試験フレームを、ユーザフレームの間に挿入して伝送路に送出する。その場合の試験フレームは、例えば、図２の（ｂ）に示すように、シーケンス番号とタイムスタンプとを含むフレームとする。
【００３５】
ＬＡＮスイッチ１−１のポート番号＃ＰＪのポートに到着した試験フレームは、フレーム振り分け部３に於いて学習テーブル２を参照し、試験フレームの宛先アドレスＤＡ＝＃ＴＥＳＴは、学習テーブル２に登録された送信元アドレス＃ＴＥＳＴと一致するから、それに対応するポート番号＃ＰＮに対して試験フレームを振り分ける。このポート番号＃ＰＮのポートから伝送路を介してＬＡＮスイッチ１−３に試験フレームを転送する。従って、この場合の試験フレームの転送経路は、太線矢印で示すものとなる。
【００３６】
ＬＡＮスイッチ１−３に於いては、ポート番号＃ＰＡのポートに到着した試験フレームを入側試験フレーム抽出部ａに於いて抽出し、試験フレーム数の計測、試験フレームレートの計測、シーケンス番号検出による廃棄レートの計測、タイムスタンプによる試験フレームの送出時刻を基に転送遅延時間の計測等を行う。これらの計測結果は、図示を省略した試験フレーム管理部へ、計測過程に於いて又は試験終了後に一括して転送し、試験フレーム管理部から装置管理システムへ転送することができる。
【００３７】
この場合も、通常のユーザフレームの伝送制御過程に於いて、中継経路の試験を行うことができる。又中継経路として複数のＬＡＮスイッチを含む場合でも、中継経路に相当するそれぞれのＬＡＮスイッチの学習テーブルに、試験フレームの送信元アドレスと試験フレームを中継送出するポートのポート番号とを登録することにより、フレーム振り分け部に於いて試験フレームのフラッディングを行うことなく、中継送出するように振り分けることができる。
【００３８】
図６は運用中のネットワークからＬＡＮスイッチ１を切り離した状態として、そのＬＡＮスイッチの試験を行う場合を示し、前述の各図と同一符号は同一部分を示す。この実施の形態に於いては、図示を省略した試験フレーム管理部から、学習テーブル２に、試験フレームの送信元アドレス＃ＴＥＳＴとポート番号＃ＰＪとを登録し、試験フレームについての学習禁止を設定し、ポート番号＃ＰＡ〜＃ＰＮのポートの入側試験フレーム抽出部ａに、到着した総てのフレームを廃棄するように設定し、ポート番号＃ＰＮのポートの入側試験フレーム挿入部ｂに試験フレームの挿入設定を行い、ポート番号＃ＰＪのポートの出側試験フレーム抽出部ｃに試験フレームの抽出設定を行う。
【００３９】
試験開始指示により、ポート番号＃ＰＮのポートの入側試験フレーム挿入部ｂから宛先アドレスＤＡ＝＃ＴＥＳＴとした試験フレームを送出する。振り分け部３は、学習テーブル２を検索し、送信元アドレスが＃ＴＥＳＴであるポート番号＃ＰＪのポートに試験フレームを振り分ける。このポート番号＃ＰＪのポートの出側試験フレーム抽出部ｃに於いて宛先アドレスＤＡ＝＃ＴＥＳＴの試験フレームを抽出して、試験フレーム数、試験フレームレート、試験フレームの廃棄数等を計測する。この場合の入側試験フレーム抽出部ａは、試験フレームのみでなく、ユーザフレームも含めて抽出して廃棄する。それによって、このＬＡＮスイッチ１をネットワークから切り離した状態として試験することができる。
【００４０】
又ポート番号＃ＰＮのポートの入側試験フレーム挿入部ｂに試験フレームの挿入設定を行い、宛先アドレスＤＡ＝＃ＴＥＳＴとすると、振り分け部３は、学習テーブル２を参照して、この試験フレームを、ポート番号＃ＰＪのポートに振り分けることになる。この場合、ポート番号＃ＰＪのポートを、試験フレーム終端ボートとして、他の各ポートとの間の各種試験を行うことができる。又試験フレーム終端ポートを、学習テーブル２の送信元アドレス＃ＴＥＳＴに対するポート番号を変更することにより、他のポートに変更することができる。
【００４１】
本発明は、前述の各実施の形態にのみ限定されるものではなく、種々付加変更することができるものであり、例えば、試験フレーム挿入部と試験フレーム抽出部とは、全ポートではなく、所定のポートにのみ設けることも可能である。又試験フレーム挿入部は、例えば、予めフォーマットを格納したメモリに、必要なデータを書込むことにより、試験フレームを形成して、メモリから読出した試験フレームを送出する構成等の各種の構成を適用することができる。又ＶＬＡＮ構成のネットワークに於けるＬＡＮスイッチ及びＬＡＮスイッチ間の試験についても、前述の実施の形態を適用することが可能である。
【００４２】
【発明の効果】
以上説明したように、本発明は、ポート５−１〜５−２に試験フレーム挿入部ｂ，ｄと試験フレーム抽出部ａ，ｃとを設けて、単一のＬＡＮスイッチ１内のポート間の試験、又は他のＬＡＮスイッチによる折り返し試験、第１，第２のＬＡＮスイッチ間で中継経路ＬＡＮスイッチを介した試験等の各種の試験を、ネットワークの運用中にユーザフレームのトラヒックを圧迫することなく実行できるものであり、従って、ＬＡＮスイッチを用いたネットワークの信頼性を向上することができる利点がある。
【００４３】
又試験過程に於いて、学習テーブル２に試験フレームを示す送信元アドレスと振り分け送出するポートのポート番号とを登録し、且つ試験フレームについての学習禁止を設定することにより、試験フレームを他のポートにコピーして送出するフラッティングが行われないので、ユーザフレームのトラヒックに悪影響を及ぼさない利点がある。
【図面の簡単な説明】
【図１】本発明の実施の形態の説明図である。
【図２】試験フレームの説明図である。
【図３】本発明の実施の形態の試験方法の説明図である。
【図４】本発明の実施の形態の折り返しによる試験方法の説明図である。
【図５】本発明の実施の形態の中継経路を含む試験方法の説明図である。
【図６】本発明の実施の形態の外部切り離しによる試験方法の説明図である。
【図７】ネットワークの説明図である。
【図８】フレームフォーマット説明図である。
【符号の説明】
１　ＬＡＮスイッチ
２　学習テーブル
３　フレーム振り分け部
４　試験フレーム管理部
５−１〜５−ｎ　ポート
ａ　入側試験フレーム抽出部
ｂ　入側試験フレーム挿入部
ｃ　出側試験フレーム抽出部
ｄ　出側試験フレーム挿入部
【図１】
2004064489.tif 000003
【図２】
2004064489.tif 000004
【図３】
2004064489.tif 000005
【図４】
2004064489.tif 000006
【図５】
2004064489.tif 000007
【図６】
2004064489.tif 000008
【図７】
2004064489.tif 000009
【図８】
2004064489.tif 000010